(57)【要約】      （修正有）【課題】より人の目に付きやすく強い印象を与え、かつ安全に使用出来る回転運動する表示装置を提供する。【解決手段】２段以上連なったボックス１，２の、いずれかのボックス内に取付けられたモーター４に連結軸７を連結させ、連結軸に連結する伝達要素が動力の回転により回転運動し、伝達要素に連結するボックス、連結軸に連結するボックスが、それぞれ固定や停止、又は回転運動する。表示内容をボックス側面に掲示する事で、通行人の注意を促進し、基台に取付けたキャスター５にストッパー機能を持たせ、さらに動力伝達に滑りクラッチを設ける。【選択図】図１
2006171520.tif 000002
【特許請求の範囲】
【請求項１】
２個以上連なったボックスの、いずれかのボックス内に設けられたモーターに連結軸を連結させ、連結軸に連結する伝達要素が動力により回転運動し、伝達要素に連結するボックス、連結軸に連結するボックスが、それぞれ固定や停止、又は回転運動する機構。
【請求項２】
本発明の基台にストッパー付きのキャスターを取付ける機構。
【請求項３】
各ボックスの側面を開閉式にする形式。
【請求項４】
ボックスの側面を開閉することによるボックス内部に備えられたスイッチを操作出来る構造。
【発明の詳細な説明】
【技術分野】
【０００１】
本発明は、通行人や通行車輛から表示板をより気付きやすくさせるための回転運動する表示装置に関する。
【０００２】
従来通行人や通行車輛から注目度を高める為に設置されている表示看板としては、静止立て看板や回転看板などが用いられている。例えば回転広告塔を、大面積の表示面を複数設けた多角形状にし、広告塔を回転させたもの（特許文献１参照）や、地上に固定した支柱により高い位置に看板フレームを設け、支柱を中心に回転させたもの（特許文献２参照）などがある。
【特許文献１】特開平０７−２４８７３３号公報
【特許文献２】特開２００３−０７６３０３号公報
【発明の開示】
【発明が解決しようとする課題】
【０００３】
しかしながら、上述の装置では以下のような問題点がある。静止看板では、表示面の広告効果はあるが平面的で、一方向以外のアピール度が欠けている。特許文献１の装置では、表示面が多角面にあることから、様々な表示内容を同時に掲示出来るが、多角面である為に１つの表示面が狭まり、回転速度を速めると文字が読みにくくなり、表示面を巨大にすればそれだけ広い設置場所を必要とする。叉、回転速度を遅くすると、表示内容の移動が静止看板と似通ったものとなり、見るものに強烈な印象を与えられない。
【０００４】
特許文献２の装置では、高い位置に看板フレームを設置する為に、遠方でもアピール度はあるが、支柱のみで支えている事から、高くすればそれだけバランスが悪くなり、転倒・破損の危険性が高くなる。
【０００５】
本発明は、上述の問題点を解決するもので、表示内容を掲示しているボックスを２段以上に連ね、それぞれのボックスを回転させる為、複数の表示内容を同時に掲示でき、各ボックスで様々な表示内容の組み合わせが可能で、各ボックスの回転方向が異なる為、ボックスごとに変化をもたらし広告効果がより高まるものである。又３段以上に重ねて表示部を高くし遠方にもアピールする事が出来る。動力を伝達する方法としては、滑りクラッチを設けてボックスに動力伝達させているので、停止時でも外力により任意で動かせることができ、運転時でも外力により任意に停止状態に導く事ができる為、安全性を向上する事が出来る。さらに、本体をアンカーで固定し転倒を防ぐ事もでき、取付けたキャスターにストッパー機能を持たせる事により、予期せぬ移動などを防ぐものである。
【０００６】
以上により本発明は、通行人などに、より強い印象を与えるとともに、屋内・外の人の出入りが激しい場所でも安全に使用出来るものである。
【課題を解決するための手段】
【０００７】
本発明は以下の装置で、上述の問題点を解決させている。ボックスを連ね、モーターに取付けられた連結軸に第１ギアを直結させ、第２ギアとかみ合わせる。第２ギアと第３ギアを、軸に直結させ連結させる。第３ギアと第４ギア、第４ギアと第５ギアをそれぞれかみ合わせ、第５ギアと、下段連結器を介して下段ボックスを連結させる。連結軸と、上段連結器を介して上段ボックスを連結させる。よって連結軸の回転により、連なった上・下段ボックスは回転運動する。表示内容をボックス側面に掲示することで、通行人の注意を促進する。（図１・２・３参照）
【０００８】
本発明の基台にキャスターを取付ける。さらにキャスターにストッパー機能を持たせる。
【０００９】
各ボックスの側面を開閉式にする。（図４参照）
【００１０】
ボックスの側面を開ければ、ボックス内部に備えられたスイッチを操作出来る。
【００１１】
本発明では、０００７の装置の他に下記の００１２〜００１７の６つの方法で、２段以上連なるボックスに固定や停止、又は回転など様々な動きを持たせている。
【００１２】
モーターに取付けられた軸に第１ギアを直結させ、第２ギアとかみ合わせる。第２ギアと、下段連結器を介して下段ボックスを連結させる。連結軸と、上段連結器を介して上段ボックスを連結させ、動きを固定させる。よって、軸の回転により下段ボックスが回転運動する。（図３・５・６参照）
【００１３】
モーターに取付けられた連結軸と、上段連結器を介して上段ボックスを連結させる。下段ボックスを基台に取付け動きを固定させる。よって連結軸の回転により上段ボックスが回転運動する。（図３・７・８参照）
【００１４】
ボックスを３段に連ね、モーターに取付けられた連結軸に第１ギアを直結させ、第２ギアとかみ合わせる。第２ギアと第３ギア、第６ギアを軸に直結させ連結させる。第３ギアと第４ギア、第４ギアと第５ギアをそれぞれかみ合わせ、第５ギアと、中段連結器を介して中段ボックスを連結させる。第６ギアと第７ギアをかみ合わせ、第７ギアと、下段連結器を介して下段ボックスを連結させる。連結軸と、上段連結器を介して上段ボックスを連結させる。よって、連結軸の回転により、上・中・下段ボックスが各々回転運動する。（図３・９・１０参照）
【００１５】
ボックスを３段に連ね、モーターに取付けられた連結軸に第１ギアを直結させ、第１ギアと第２ギア、第２ギアと第３ギアをそれぞれかみ合わせる。第３ギアと第４ギアを軸に直結させ連結させる。第４ギアと第５ギアをかみ合わせ、第５ギアと、下段連結器を介して下段ボックスを連結させる。支台と、中段連結器を介して中段ボックスを連結させ、動きを固定する。連結軸と、上段連結器を介して上段ボックスを連結させる。よって、基軸の回転により、上・下段ボックスが各々回転運動する。（図３・１１・１２参照）
【００１６】
ボックスを３段に連ね、モーターを３つ取付ける。モーター（中央）に取付けられた連結軸と、上段連結器を介して上段ボックスを連結させる。モーター（左）に取付けられた連結軸（左）に第１ギアを直結させて、第２ギアとかみ合わせる。第２ギアと、中段連結器を介して中段ボックスを連結させる。モーター（右）に取付けられた連結軸（右）に第３ギアを直結させて第４ギアとかみ合わせる。第４ギアと、下段連結器を介して下段ボックスを連結させる。よってそれぞれの連結軸の回転により、上・中・下段ボックスが各々回転運動する。各モーターの停止・運転により、各ボックスを任意で動かしたり、とどめたりする事が出来る。（図３・１３・１４参照）
【００１７】
ボックスを３段に連ね、モーターに取付けられた連結軸と、各連結器を介して上・中・下段ボックスを連結させる。よって連結軸の回転により、上・中・下段ボックスが同じ方向で回転運動する。（図１５参照）
【００１８】
本発明は、伝達要素としてギアを使用しているが、ギアに限定されることなく、チェーンやベルトなど様々な伝達要素の使用が可能である。叉、４、５段と連ねてそれぞれ特有の回転運動させることも可能である。
【発明の効果】
【００１９】
上述のように表示部をそれぞれ動かす事で人の目に付き易くなる。叉、動力を伝達する方法として滑りクラッチを設けてボックスを動かしているので、停止時でも外力により任意で動かせることができ、運転時でも外力により任意に停止状態に導く事ができる為、安全性を向上する事が出来る。
【００２０】
基台に取付けたキャスターにより、本発明を移動させ使用領域を広げる。叉、ストッパーにより本発明の予期せぬ移動を防いでいる。
【００２１】
ボックス側面を開閉式にする事により、容易に内部点検が出来る。
【００２２】
ボックス開閉面を開ければ容易にスイッチを操作出来ることにより、運転・停止が即座に可能である。
【００２３】
屋外で使用する際、風対策として基台叉はボックスをアンカーで固定して転倒を防止する。
【発明を実施するための最良の形態】
【００２４】
以下本発明の形態を図に基づき、各方式について説明する。
【００２５】
図１は上・下２段のボックスを回転させる方式の全体概略斜視図、図２はその下段ボックス内の詳細図、図３は各発明機器の上段ボックス内の詳細図である。図１において４に７、６に５を取付けている。図２において、４に取付けられた７に８を直結させ、９とかみ合わせる。９と１０を１５に直結させ連結させる。１０と１１、１１と１２をそれぞれかみ合わせ、１７を介して１２と２を連結させる。図３に示すように、１６を介して７と１を連結させる。軸に直結されずに接している機器は、軸の回転の際滑るように設置してあるので、軸の回転には影響されない。よって７の回転により、連なった１・２は回転運動する。叉、１６、１７に２１を設けて動力を滑らせてボックスに伝えている。
【００２６】
図４はボックスの開閉面を開いている図である。内部点検や運転開始・停止の際に、開いて点検や操作をする。各ボックスの側面に付けられている。
【００２７】
図５は下段ボックスを回転させる方式の概略斜視図、図６はその下段ボックス内の詳細図である。図６において、４に取付けられた１５に８を直結させ、９とかみ合わせる。１７を介して９と２を連結させる。図３に示すように、１６を介して７と１を連結させ、動きを固定させる。軸に直結されずに接している機器は、軸に滑るように設置してある。よって、１５の回転により２が回転運動する。
【００２８】
図７は上段ボックスを回転させる方式の概略斜視図、図８はその下段ボックス内の詳細図である。図８において、２を６に取付け動きを固定させる。図３に示すように、１６を介して４に取付けられた７と１を連結させる。軸に直結されずに接している機器は、軸の回転の際滑るように設置してあるので、軸の回転には影響されない。よって７の回転により１が回転運動する。
【００２９】
図９は上・中・下３段のボックスを回転させる方式の概略斜視図、図１０はその中・下段ボックス内の詳細図である。図１０において、図９の４に取付けられた７に８を直結させ、９とかみ合わせる。９と１０と１３を１５に直結させ、連結させる。１０と１１、１１と１２をそれぞれかみ合わせ、１８を介して１２と３を連結させる。１３と１４をかみ合わせ、１４と、１７を介して２を連結させる。図３に示すように、１６を介して７と１を連結させる。軸に直結されずに接している機器は、軸の回転の際滑るように設置してあるので、軸の回転には影響されない。よって、７の回転により、１・２・３が回転運動する。
【００３０】
図１１は３段のうち、上・下段ボックスを回転させる方式の概略斜視図、図１２はその中・下段ボックス内の詳細図である。図１２において、図１１の４に取付けられた７に８を直結させ、８と９、９と１０をそれぞれかみ合わせる。１０と１１を１５に直結させ連結させる。１１と１２をかみ合わせ、１７を介して１２と２を連結させる。１８を介して１９と３を連結させ動きを固定する。図３に示すように、１６を介して７と１を連結させる。軸に直結されずに接している機器は、軸の回転の際滑るように設置してあるので、軸の回転には影響されない。よって、７の回転により、１・２が回転運動する。
【００３１】
図１３は３つのモーターで３段のボックスを回転させる方式の概略斜視図、図１４はその中・下段ボックス内の詳細図である。図１４において、４ａに取付けられた７ａに８を直結させて、９とかみ合わせる。１８を介して９と３を連結させる。４ｂに取付けられた７ｂに１０を直結させて１１とかみ合わせる。１７を介して１１と２を連結させる。図３に示すように、１６を介して図１３の４に取付けられた７と１を連結させる。軸に直結されずに接している機器は、軸の回転の際滑るように設置してあるので、軸の回転には影響されない。よって７、７ａ、７ｂの回転により、１・２・３が回転運動する。各モーターの停止・運転により、各ボックスを任意で動かしたり、とどめたりする事が出来る。
【００３２】
図１５は３段のボックスが同じ速度・方向で回転させる方式の概略斜視図である。各段の連結器が軸に直結されているので全ボックスが同様の回転運動する。
【図面の簡単な説明】
【００３３】
【図１】上・下段回転方式  概略斜視図
【図２】上・下段回転方式  下段ボックス内詳細図
【図３】上段ボックス内（全方式共通）  詳細図
【図４】ボックス開閉時  概略斜視図
【図５】下段回転方式  概略斜視図
【図６】下段回転方式  下段ボックス内詳細図
【図７】上段回転方式  概略斜視図
【図８】上段回転方式  下段ボックス内詳細図
【図９】３段ボックス上・中・下段回転方式  概略斜視図
【図１０】３段ボックス上・中・下段回転方式  中・下段ボックス内詳細図
【図１１】３段ボックス上・下段回転方式  概略斜視図
【図１２】３段ボックス上・下段回転方式  中・下段ボックス内詳細図
【図１３】３段ボックス３モーター回転方式  概略斜視図
【図１４】３段ボックス３モーター回転方式  中・下段ボックス内詳細図
【図１５】３段ボックス同速度・方向回転方式  概略斜視図
【符号の説明】
【００３４】
１．上段ボックス
２．下段ボックス
３．中段ボックス
４．モーター
４ａ．モーター（左）
４ｂ．モーター（右）
５．キャスター
６．基台
７．連結軸
８．第１ギア
９．第２ギア
１０．第３ギア
１１．第４ギア
１２．第５ギア
１３．第６ギア
１４．第７ギア
１５．軸
１６．上段連結器  
１７．下段連結器  
１８．中段連結器  
１９．支台
２０．スイッチ
２１．滑りクラッチ
２２．スラストベアリング
【図１】
2006171520.tif 000003
【図２】
2006171520.tif 000004
【図３】
2006171520.tif 000005
【図４】
2006171520.tif 000006
【図５】
2006171520.tif 000007
【図６】
2006171520.tif 000008
【図７】
2006171520.tif 000009
【図８】
2006171520.tif 000010
【図９】
2006171520.tif 000011
【図１０】
2006171520.tif 000012
【図１１】
2006171520.tif 000013
【図１２】
2006171520.tif 000014
【図１３】
2006171520.tif 000015
【図１４】
2006171520.tif 000016
【図１５】
2006171520.tif 000017